(57)【要約】【課題】簡易な工程により製造可能な表示装置を提供する。【解決手段】表示装置は、複数の画素からなる画素領域を有する液晶パネルと、液晶パネルに装着された枠体とを備え、液晶パネルは、画素回路を含む第１の基板と、第１の基板に対向配置された第２の基板と、第１および第２の基板間に封止された液晶層と、第１および第２の基板の少なくとも一方の基板において、画素領域の周辺領域にパターン形成された光学素子とを有するものである。【選択図】図４Ａ
2015011296.tif 000002
【特許請求の範囲】
【請求項１】
複数の画素からなる画素領域を有する液晶パネルと、
前記液晶パネルに装着された枠体とを備え、
前記液晶パネルは、
画素回路を含む第１の基板と、
前記第１の基板に対向配置された第２の基板と、
前記第１および第２の基板間に封止された液晶層と、
前記第１および第２の基板の少なくとも一方の基板において、前記画素領域の周辺領域にパターン形成された光学素子とを有する
表示装置。
【請求項２】
前記光学素子は位相差層である
請求項１に記載の表示装置。
【請求項３】
前記位相差層は、複数の誘電体膜を積層したものである
請求項２に記載の表示装置。
【請求項４】
前記光学素子は偏光性層である
請求項１に記載の表示装置。
【請求項５】
前記偏光性層は、ワイヤーグリッドにより構成されている
請求項４に記載の表示装置。
【請求項６】
前記偏光性層の偏光軸は、前記画素の配列方向に対して０°，４５°または９０°をなす
請求項４に記載の表示装置。
【請求項７】
前記光学素子のパターン形状は、前記画素ピッチ以下の幅を有する
請求項１に記載の表示装置。
【請求項８】
前記枠体は、前記液晶パネルの前記周辺領域を遮光する遮光部材を取り付けるための機構を有する
請求項１に記載の表示装置。
【請求項９】
前記光学素子は、前記第１の基板に形成されている
請求項１に記載の表示装置。
【請求項１０】
前記光学素子は、前記第２の基板に形成されている
請求項１に記載の表示装置。
【請求項１１】
前記液晶パネルは透過型である
請求項１に記載の表示装置。
【請求項１２】
投射型表示装置であり、
前記液晶パネルは、色光毎に互いに異なる光路上に複数設けられ、
複数の前記液晶パネルはそれぞれ、前記枠体を介して色合成光学部材に固着されている
請求項１１に記載の表示装置。
【請求項１３】
複数の画素からなる画素領域を有する液晶パネルと、
前記液晶パネルに装着された枠体とを備え、
前記液晶パネルは、
画素回路を含む第１の基板と、
前記第１の基板に対向配置された第２の基板と、
前記第１および第２の基板間に封止された液晶層と、
前記第１および第２の基板の少なくとも一方の基板において、前記画素領域の周辺領域にパターン形成された遮光層とを有する
表示装置。
【請求項１４】
前記遮光層は、前記周辺領域の一部に形成された金属層である
請求項１３に記載の表示装置。
【請求項１５】
前記遮光層は、前記周辺領域の一部に光透過領域となる開口を有する金属層である
請求項１３に記載の表示装置。
【請求項１６】
前記遮光層による遮光領域または光透過領域のパターン形状は、前記画素ピッチ以下の幅を有する
請求項１３に記載の表示装置。
【請求項１７】
前記枠体は、前記液晶パネルの前記周辺領域を遮光する遮光部材を取り付けるための機構を有する
請求項１３に記載の表示装置。
【請求項１８】
前記遮光層は、前記第１の基板に形成されている
請求項１３に記載の表示装置。
【請求項１９】
前記遮光層は、前記第２の基板に形成されている
請求項１３に記載の表示装置。
【発明の詳細な説明】
【技術分野】
【０００１】
本開示は、例えばプロジェクタ等に用いられる表示装置に関する。
【背景技術】
【０００２】
一般に、プロジェクタなどの投射型の表示装置では、光源から出射された光に基づいて、透過型（または反射型）の液晶パネルにおいて画素毎に変調された映像光が、投射レンズにより拡大表示される。このような表示装置には、その機能あるいは形態に応じて、例えば、パーソナルコンピュータ用途などのデータプロジェクタ、ホームシアター用途などのフロントプロジェクタ、およびリアプロジェクタテレビジョン用途などのリアプロジェクタ等がある。
【０００３】
また、この投射型の表示装置は、例えばＲ（Red：赤），Ｇ（Geen：緑），Ｂ（Blue：青）の３色のサブピクセル（ドット）を有する液晶パネルを１枚用いて表示を行う単板式のものと、互いに異なる光路上にＲ，Ｇ，Ｂの各色光用のモノクロの液晶パネルを３枚配置して表示を行う３板式のものとに大別される。更に、投射型の表示装置では、そのような液晶パネルとして透過型の液晶パネルが用いられる透過型プロジェクタと、反射型の液晶パネルが用いられる反射型プロジェクタとに分けられる。３板式の透過型プロジェクタとしては、例えば特許文献１に記載されたものが挙げられる。
【先行技術文献】
【特許文献】
【０００４】
【特許文献１】特開２００６−０１８０５５号公報
【発明の概要】
【発明が解決しようとする課題】
【０００５】
上記のような投射型の表示装置では、液晶パネルが他の光学ブロックに固着された状態で配置される。ところが、固着時には、液晶パネルを実際に表示駆動して画像を表示させつつ位置合わせが行われることから、設備が大掛かりとなり、工程数も増加し易い。このため、設備の簡略化および工程数の削減により、簡易な工程で組み立て可能な表示装置の実現が望まれている。
【０００６】
本開示はかかる問題点に鑑みてなされたもので、その目的は、簡易な工程により製造可能な表示装置を提供することにある。
【課題を解決するための手段】
【０００７】
本開示の第１の表示装置は、複数の画素からなる画素領域を有する液晶パネルと、液晶パネルに装着された枠体とを備え、液晶パネルは、画素回路を含む第１の基板と、第１の基板に対向配置された第２の基板と、第１および第２の基板間に封止された液晶層と、第１および第２の基板の少なくとも一方の基板において、画素領域の周辺領域にパターン形成された光学素子とを有するものである。
【０００８】
本開示の第１の表示装置では、液晶パネルの第１および第２の基板の少なくとも一方において、画素領域の周辺領域に光学素子がパターン形成されている。枠体を介して液晶パネルを光学ブロックへ固着する際、液晶パネルを照明することで光学素子のパターン形状に応じたパターン表示を行うことができる。即ち、固着工程において、液晶パネルを表示駆動することなく（無通電により）、位置合わせ用のパターンを表示することができる。
【０００９】
本開示の第２の表示装置は、複数の画素からなる画素領域を有する液晶パネルと、液晶パネルに装着された枠体とを備え、液晶パネルは、画素回路を含む第１の基板と、第１の基板に対向配置された第２の基板と、第１および第２の基板間に封止された液晶層と、第１および第２の基板の少なくとも一方の基板において、画素領域の周辺領域にパターン形成された遮光層とを有するものである。
【００１０】
本開示の第２の表示装置では、液晶パネルの第１および第２の基板の少なくとも一方において、画素領域の周辺領域に遮光層がパターン形成されている。枠体を介して液晶パネルを光学ブロックへ固着する際、液晶パネルを照明することで遮光層のパターン形状に応じたパターン表示を行うことができる。即ち、固着工程において、液晶パネルを表示駆動することなく（無通電により）、位置合わせ用のパターンを表示することができる。
【発明の効果】
【００１１】
本開示の第１の表示装置によれば、液晶パネルの第１および第２の基板の少なくとも一方において、画素領域の周辺領域に光学素子をパターン形成したので、液晶パネルの光学ブロックへの固着工程において、無通電で位置合わせ用のパターンを表示できる。これにより、固着時に液晶パネルを表示駆動しつつ位置合わせする場合に比べ、設備を簡略化できると共に、工程数を削減することできる。よって、簡易な工程により製造可能となる。
【００１２】
本開示の第２の表示装置によれば、液晶パネルの第１および第２の基板の少なくとも一方において、画素領域の周辺領域に遮光層をパターン形成したので、液晶パネルの光学ブロックへの固着工程において、無通電で位置合わせ用のパターンを表示できる。これにより、固着時に液晶パネルを表示駆動しつつ位置合わせする場合に比べ、設備を簡略化できると共に、工程数を削減することできる。よって、簡易な工程により製造可能となる。
【図面の簡単な説明】
【００１３】
【図１】本開示の第１の実施の形態に係る投射型の表示装置の要部構成を表す模式図である。
【図２】図１に示した液晶パネルユニットの一例を表す斜視図である。
【図３】図２に示した液晶パネルユニットのＡの部分を拡大した図である。
【図４Ａ】図２に示した液晶パネルユニットの要部構成を表すＸＹ平面模式図である。
【図４Ｂ】図４Ａの液晶パネルユニットに見切り板を取り付けた状態を表すＸＹ平面模式図である。
【図５Ａ】図４Ａに示した液晶パネルユニットの光学素子付近のＸＺ断面模式図である。
【図５Ｂ】図５Ａの液晶パネルユニットに見切り板を取り付けた状態を表すＸＺ断面図である。
【図６Ａ】図１に示した液晶パネルユニットの固着工程を説明するための模式図である。
【図６Ｂ】図６Ａの工程の詳細を説明するための模式図である。
【図６Ｃ】クロスプリズムに固着された液晶パネルユニットを表す模式図である。
【図７Ａ】本開示の第２の実施の形態に係る表示装置の液晶パネルユニットの要部構成を表すＸＹ平面模式図である。
【図７Ｂ】図７Ａの液晶パネルユニットに見切り板を取り付けた状態を表すＸＹ平面模式図である。
【図８Ａ】図７Ａに示した液晶パネルユニットの光学素子付近のＸＺ断面模式図である。
【図８Ｂ】図８Ａの液晶パネルユニットに見切り板を取り付けた状態を表すＸＺ断面図である。
【図９】図７Ａに示した液晶パネルユニットの固着工程の詳細を説明するための模式図である。
【図１０Ａ】本開示の第３の実施の形態に係る表示装置の液晶パネルユニットの要部構成を表すＸＹ平面模式図である。
【図１０Ｂ】図１０Ａの液晶パネルユニットに見切り板を取り付けた状態を表すＸＹ平面模式図である。
【図１１Ａ】図１０Ａに示した液晶パネルユニットの遮光層付近のＸＺ断面模式図である。
【図１１Ｂ】図１１Ａの液晶パネルユニットに見切り板を取り付けた状態を表すＸＺ断面図である。
【図１２】図１１Ａに示した液晶パネルユニットの固着工程の詳細を説明するための模式図である。
【図１３Ａ】本開示の第４の実施の形態に係る表示装置の液晶パネルユニットの要部構成を表すＸＹ平面模式図である。
【図１３Ｂ】図１３Ａの液晶パネルユニットに見切り板を取り付けた状態を表すＸＹ平面模式図である。
【図１４Ａ】図１３Ａに示した液晶パネルユニットの遮光層付近のＸＺ断面模式図である。
【図１４Ｂ】図１４Ａの液晶パネルユニットに見切り板を取り付けた状態を表すＸＺ断面図である。
【図１５】図１３Ａに示した液晶パネルユニットの固着工程の詳細を説明するための模式図である。
【図１６】図１等に示した表示装置の全体構成の一例を表す図である。
【発明を実施するための形態】
【００１４】
以下、本開示の実施の形態について、図面を参照して詳細に説明する。尚、説明は以下の順序で行う。
１．第１の実施の形態（液晶パネルのＴＦＴ基板の周辺領域に光学素子（位相差層）をパターン形成した投射型表示装置の例）
２．第２の実施の形態（液晶パネルのＴＦＴ基板の周辺領域に光学素子（偏光性層）をパターン形成した投射型表示装置の例）
３．第３の実施の形態（液晶パネルのＴＦＴ基板の周辺領域の一部に遮光層をパターン形成した投射型表示装置の例）
４．第４の実施の形態（液晶パネルのＴＦＴ基板の周辺領域の一部に光透過領域（開口）を有する遮光層をパターン形成した投射型表示装置の例）
５．投射型表示装置の全体構成例
【００１５】
＜第１の実施の形態＞
［構成］
図１は、本開示の第１の実施の形態に係る投射型表示装置（表示装置１）の要部構成を表したものである。表示装置１は、例えば３板式の透過型プロジェクタに組み込まれて用いられるものであり、例えば、互いに異なる光路上に配置された液晶パネルユニット１０Ｒ，１０Ｇ，１０Ｂと、クロスプリズム１２と、投射レンズ１３とを備えている。この表示装置１では、液晶パネルユニット１０Ｒ，１０Ｇ，１０Ｂが、クロスプリズム１２（色合成光学部材）等の光学ブロックに固着された（一体化された）状態で配設されている。液晶パネルユニット１０Ｒ，１０Ｇ，１０Ｂの各光入射側（図示しない光源部側）には、入射側偏光板１１ａが配置され、各光出射側（クロスプリズム１２側）には、出射側偏光板１１ｂが配置されている。
【００１６】
入射側偏光板１１ａおよび出射側偏光板１１ｂは、液晶パネルユニット１０Ｒ，１０Ｇ，１０Ｂにそれぞれ含まれる液晶パネル（後述の液晶パネル１３０Ａ）の偏光子および検光子として機能するものである。これらの入射側偏光板１１ａおよび出射側偏光板１１ｂの各偏光軸は、液晶パネル１３０Ａに用いられる液晶の種類および表示モードに応じて設定される。例えば、ＶＡ（Vertical Alignment）液晶を用いたノーマリーブラック（ＮＢ）・モードの場合には、各偏光軸は互いに直交するように設定され、入射側偏光板１１ａおよび出射側偏光板１１ｂは、いわゆるクロスニコル配置となる。
【００１７】
入射側偏光板１１ａと図示しない光源部との間には、ミラーやレンズ等から構成された光学ユニット（図１には図示せず）が設けられており、入射側偏光板１１ａは、その光学ユニットに取り付けられた状態で組み込まれる。一方、出射側偏光板１１ｂは、クロスプリズム１２に取り付けられている。このような構成により、光源部から出射された光は、Ｒ，Ｇ，Ｂの色光（Ｌｒ，Ｌｇ，Ｌｂ）毎に、互いに異なる光路Ｚに分離されて進行し、赤色光Ｌｒは液晶パネルユニット１０Ｒに、緑色光Ｌｇは液晶パネルユニット１０Ｇに、青色光Ｌｂは液晶パネルユニット１０Ｂに、それぞれ入射するようになっている。
【００１８】
（液晶パネルユニット）
液晶パネルユニット１０Ｒは、透過する赤色光Ｌｒを、所定の映像信号に基づいて変調すると共に光学ブロック（ここではクロスプリズム１２）へ取り付け用部材（後述の外枠１２０）を含むモジュールである。同様に、液晶パネルユニット１０Ｇ，１０Ｂは、透過する緑色光Ｌｇ，青色光Ｌｂを、所定の映像信号に基づいて変調すると共に、光学ブロックへ取り付け用部材を含むモジュールである。これらの液晶パネルユニット１０ｒ，１０Ｇ，１０Ｂは、基本的に同様のデバイス構造を有するため、以下では、これらの液晶パネルユニット１０Ｒ，１０Ｇ，１０Ｂを特に区別せず、液晶パネルユニット１０と称して説明する。
【００１９】
図２〜図５Ｂを参照して、この液晶パネルユニットの詳細な構成について説明する。図２は、液晶パネルユニット１０の構成の一例を表したものである。図３は、図２の一部を拡大したものである。図４Ａおよび図４Ｂは、液晶パネルユニット１０のＸＹ平面構成を表したものであり、図４Ａは見切り板１２２を取り付けていない状態、図４Ｂは見切り板１２２を取り付けた状態をそれぞれ表す。図５Ａおよび図５Ｂは、液晶パネルユニット１０のＸＺ断面構成を表したものであり、図５Ａは見切り板１２２を取り付けていない状態、図５Ｂは見切り板１２２を取り付けた状態をそれぞれ表す。
【００２０】
液晶パネルユニット１０は、例えば透過型の液晶パネル１３０Ａと、この液晶パネル１３０Ａに装着された外枠１２０（枠体）および見切り板１２２とを含んで構成されている。この液晶パネルユニット１０では、例えば、液晶パネル１３０Ａの光出射側に外枠１２０が配置され、光入射側に見切り板１２２が配置されている。
【００２１】
液晶パネル１３０Ａは、いわゆるライトバルブとして機能するものであり、入射光（赤色光Ｌｒ，緑色光Ｌｇまたは青色光Ｌｂ）を変調して映像に対応する色光を出射するものである。この液晶パネル１３０Ａは、複数の画素（有効画素Ｐ，ダミー画素Ｐｘ）を含む画素領域（画素領域１３１）を有している。
【００２２】
この液晶パネル１３０Ａは、例えば有効画素Ｐを含む画素回路が形成されたＴＦＴ基板１３５と、対向基板１３６との間に、液晶層１３７が封止されたものである。ＴＦＴ基板１３５の、画素領域１３１の周辺領域（周辺領域１３２）には、各画素Ｐを表示駆動するための周辺回路（例えば信号線駆動回路１２４ａ，走査線駆動回路１２４ｂ）が形成されている。ＴＦＴ基板１３５には、ＦＰＣ（Flexible Printed Circuit）などのフィルム基板１２３が接続されており、このフィルム基板１２３を通じて、入射光の変調に必要な映像信号および電力などが液晶パネル１３０Ａへ供給されるようになっている。ＴＦＴ基板１３５および対向基板１３６の各対向面には、図示しない電極が設けられ、これらの電極を通じて液晶層１３７に電圧が印加される。
【００２３】
液晶層１３７は、例えばＶＡ型、ＴＮ型あるいはＩＰＳ型などの各種液晶により構成され、例えばノーマリーブラック・モードあるいはノーマリーホワイト（ＮＷ）・モードにより表示される。この液晶層１３７の周縁部は、液晶パネル１３０Ａの端部において、シール層１３８によってシールされている。
【００２４】
外枠１２０は、例えば液晶パネル１３０Ａの一面（例えば光出射面）の端部および側面を囲む枠形状を有すると共に、例えば液晶パネル１３０Ａを囲む矩形状の４隅に、固着用孔１２１を有している。外枠１２０と液晶パネル１３０Ａとは、例えば室温硬化型樹脂（ＲＴＶ樹脂）などよりなる樹脂層１２５によって接着されている。固着用孔１２１は、クロスプリズム１２に取り付けられたピン（後述の固着用ピン１１０）と係合する位置に設けられている。
【００２５】
この外枠１２０は、例えば側面の所定の位置に、見切り板１２２を取り付けるための機構（例えば、図３に示した突起１２３ａ）を有している。突起１２３ａは、見切り板１２２に設けられた長孔１２３ｂと係止し、これにより外枠１２０に見切り板１２２が装着されるようになっている。
【００２６】
見切り板１２２は、例えば遮光性を有する金属板等により構成され、液晶パネル１３０Ａの画素領域１３１の周辺領域１３２を遮光する（画素領域１３１に開口を有する）部材である。この見切り板１２２は、液晶パネル１３０Ａを挟み込むようにして外枠１２０に取り付けられている。見切り板１２２の外枠１２０への取り付けは、後述の固着工程（液晶パネルユニット１０のクロスプリズム１２への固着工程）の後に行われる。
【００２７】
（光学素子１３３Ａ）
本実施の形態では、上記のような液晶パネルユニット１０において、液晶パネル１３０ＡのＴＦＴ基板１３５の周辺領域１３２に、光学素子１３３Ａがパターン形成されている。周辺領域１３２は、例えば、画素領域１３１を囲むように領域（パターン形成領域）ＳＡを有している。この領域ＳＡは、見切り板１２２がない状態（図４Ａ，図５Ａ）では、液晶パネルユニット１０へ入射する光を透過させるようになっている。一方、見切り板１２２が取り付けられた状態（図４Ｂ，図５Ｂ）では、液晶パネルユニット１０への入射光が、領域ＳＡを透過しないように、領域ＳＡは見切り板１２２によって遮蔽されている。尚、この領域ＳＡの周辺領域（例えば領域ＳＡの外縁とシール層１３８との間の領域）では、例えば対向基板１３６に形成された遮光膜（図示せず）により、遮光領域（遮光領域ＳＢ）が形成されている。
【００２８】
光学素子１３３Ａは、例えば複屈折性を有する位相差層である。この光学素子１３３Ａは、例えば複数の誘電体膜が積層されて構成されている。光学素子１３３Ａのリタデーションは、液晶パネル１３０Ａにおける液晶の種類や表示モード等に応じて設定されればよい。例えば液晶パネル１３０ＡがＶＡ液晶を用いたノーマリーブラック・モードの場合には、光学素子１３３Ａは例えばλ／２板（１／２波長板）から構成され、リタデーションは例えば３４０ｎｍ〜５２０ｎｍとなっている。この場合、詳細は後述するが、電圧無印加状態において液晶パネルユニット１０を照明すると、画素領域１３１では黒表示となるが、周辺領域１３２では、光学素子１３３Ａのパターン形状に応じたパターンが表示される。
【００２９】
光学素子１３３Ａのパターン形状（ＸＹ平面形状）は、特に限定されるものではないが、ここでは、Ｘ方向およびＹ方向に所定の幅を有する「く」の字型（「Ｌ」字型）の形状を有している。また、光学素子１３３Ａの形成位置は、領域ＳＡ内であれば特に限定されないが、ここでは、光学素子１３３Ａは、矩形状の画素領域１３１の４つの角部に対向してそれぞれ形成されている。但し、この光学素子１３３Ａは、３つの液晶パネルユニット１０Ｒ，１０Ｇ，１０Ｂ間において互いに同一の位置に形成されている。
【００３０】
この光学素子１３３Ａのパターン形状は、画素ピッチ以下の幅を有することが望ましい。具体的には、光学素子１３３Ａのパターン形状（ここでは上記「く」の字型形状）において、画素の配列方向（Ｘ方向およびＹ方向）のうちの少なくとも一方の幅が、画素ピッチ以下となっていることが望ましい。後述の固着工程において、位置合わせ精度が高まるためである。
【００３１】
尚、光学素子１３３Ａは、ここではＴＦＴ基板１３５に形成されているが、対向基板１３６に形成されていてもよい。あるいは、ＴＦＴ基板１３５および対向基板１３６の両方に形成されていてもよい。例えば、上記のようなＶＡ液晶によるノーマリーブラック・モードの場合、ＴＦＴ基板１３５および対向基板１３６のそれぞれに、光学素子１３３Ａとしてλ／４板（１／４波長板）を形成し、実質的にλ／２板を１枚配置する場合と同等の効果を得るようにすることもできる。
【００３２】
［製造方法］
上記のような表示装置１は、１または複数の光学素子を含む光学ユニット毎に、光路上に組み込まれて製造される。このとき、液晶パネルユニット１０（１０Ｒ，１０Ｇ，１０Ｂ）は、クロスプリズム１２に固着された状態で、光路上に配置される。図６Ａ〜図６Ｃを参照して、この固着工程について説明する。
【００３３】
固着工程では、図６Ａに示したように、クロスプリズム１２の異なる面に、液晶パネルユニット１０Ｒ，１０Ｇ，１０Ｂをそれぞれ接着する。このとき、液晶パネルユニット１０Ｒ，１０Ｇ，１０Ｂの各画素の位置（レジ）を合わせつつ、接着を行う。具体的には、まず、図６Ｂに示したように、各液晶パネルユニット１０Ｒ，１０Ｇ，１０Ｂへ色光Ｌｒ，Ｌｇ，Ｌｂを照射する。
【００３４】
この際、液晶パネルユニット１０Ｒ，１０Ｇ，１０Ｂのいずれにも見切り板１２２を取り付けない状態（図４Ａ，図５Ａ）で光照射を行う。また、クロスプリズム１２の液晶パネルユニット１０Ｒ，１０Ｇ，１０Ｂとの各対向面には、予め出射側偏光板１１ｂを取り付けておく。更に、液晶パネルユニット１０Ｒ，１０Ｇ，１０Ｂの各光入射側には、入射側偏光板１１ａと同様の偏光板２１０を配置した状態で光照射を行う。この偏光板２１０は、表示装置１において実際に使用される入射側偏光板１１ａと偏光軸が同じであればよく、入射側偏光板１１ａそのものを用いてもよいし、別途位置合わせ用に用意したものであってもよい。
【００３５】
加えて、液晶パネルユニット１０の外枠１２０に設けられた固着用孔１２１には、予め硬化性樹脂（ＵＶ硬化樹脂）などを充填しておき、この固着用孔１２１に、クロスプリズム１２側に設けられた固着用ピン１１０を挿入して、仮固定する。尚、固着用ピン１１０は、クロスプリズムに取り付けられたフレームなどに設置されるか、あるいはフレームと一体的に成型されている。
【００３６】
上記光照射により、本実施の形態では、各液晶パネルユニット１０において、液晶パネル１３０Ａの周辺領域１３２に光学素子１３３Ａがパターン形成されているので、この光学素子１３３Ａのパターン形状に応じたパターン（位置合わせ用パターン２００Ａ）が、投射レンズ１３を介して投射画面２００へ映し出される。
【００３７】
例えば、上記のように液晶パネル１３０Ａがノーマリーブラック・モードにより表示される場合には、電圧無印加状態（無通電状態）において液晶パネルユニット１０を照明すると、画素領域１３１では黒表示となる。一方、周辺領域１３２では、例えば光学素子１３３Ａがλ／２板である場合、光学素子１３３Ａの形成箇所に応じて局所的に白表示となる（画素領域１３１よりも明るいパターンが表示される）。これにより、液晶パネルユニット１０Ｒ，１０Ｇ，１０Ｂをそれぞれ通過した色光Ｌｒ，Ｌｇ，Ｌｂ毎に、位置合わせ用パターン２００Ａが表示される。よって、色光Ｌｒ，Ｌｇ，Ｌｂの各位置合わせ用パターン２００Ａを用いて、液晶パネルユニット１０Ｒ，１０Ｇ，１０Ｂの各画素の位置合わせを行うことができる。
【００３８】
このとき、光学素子１３３Ａのパターン形状が、画素ピッチ以下の幅を有していることにより、画素ピッチ以下での精細な位置合わせが可能となる（位置合わせ精度が高まる）。
【００３９】
上記のようにして、各液晶パネルユニット１０Ｒ，１０Ｇ，１０Ｂの適切な位置が設定された後、例えばＵＶ照射により、固着用孔１２１内の樹脂を硬化させる。これにより、図６Ｃに示したように、クロスプリズム１２に対して液晶パネルユニット１０Ｒ，１０Ｇ，１０Ｂが固着される。この後、液晶パネルユニット１０Ｒ，１０Ｇ，１０Ｂの各光入射側に見切り板１２２を取り付ける。この際、例えば、図３に示したように、見切り板１２２の長孔１２３ｂを外枠１２０の突起１２３ａに嵌め込むことで見切り板１２２が取り付けられる。これにより、固着後には、光学素子１３３Ａのパターン形状が投射画面に表示されないようにすることができる。
【００４０】
［効果］
表示装置１では、図示しない光源部からの光に基づく赤色光Ｌｒ，緑色光Ｌｇおよび青色光Ｌｂが、互いに異なる光路上を進行し、それぞれ液晶パネルユニット１０Ｒ，１０Ｇ，１０Ｂに入射し、各映像信号に基づいて変調される。この後、各液晶パネルユニット１０Ｒ，１０Ｇ，１０Ｂから、映像に対応する色光が出射され、これらがクロスプリズム１２において合成された後、投射レンズ１３によって、スクリーンなどに拡大投射される。このようにしてカラーの投射表示がなされる。
【００４１】
ところで、本実施の形態では、液晶パネル１３０ＡのＴＦＴ基板１３５において、画素領域１３１の周辺領域１３２に光学素子１３３Ａがパターン形成されている。これにより、外枠１２０を介して液晶パネルユニット１０をクロスプリズム１２などの光学ブロックへ固着する際、液晶パネルユニット１０を照明することで光学素子１３３Ａのパターン形状に応じたパターン表示を行うことができる。
【００４２】
ここで、一般的な固着工程では、３枚の液晶パネルのそれぞれを表示駆動し、表示された画像を用いて位置合わせが行われることが多い。ところが、この場合、固着工程において、各液晶パネルの駆動環境が設けられるため、設備が大掛かりになり易い。また、各液晶パネルの駆動基板への接続工程、絵出し工程（画像表示工程）および液晶パネルから駆動基板の取り外し工程など、工程数も多くなる。
【００４３】
本実施の形態では、上記のように、固着工程において画像表示のための駆動環境を要せず（無通電により）、液晶パネルユニット１０Ｒ，１０Ｇ，１０Ｂへの光照射によって位置合わせを行うことができる。
【００４４】
以上のように本実施の形態では、液晶パネル１３０ＡのＴＦＴ基板１３５において、画素領域１３１の周辺領域１３２に光学素子１３３Ａがパターン形成されることにより、液晶パネルユニット１０の光学ブロックへの固着工程において、無通電で位置合わせ用パターン２００Ａを表示できる。これにより、固着時に液晶パネルを表示駆動しつつ位置合わせする場合に比べ、設備を簡略化できると共に、工程数を削減することできる。よって、簡易な工程により製造可能となる。
【００４５】
次に、本開示の他の実施形態に係る液晶パネルユニットについて説明する。以下で説明する各液晶パネルユニットについても、上記液晶パネルユニット１０と同様、液晶パネルユニット１０Ｒ，１０Ｇ，１０Ｂのいずれかに相当するものであり、例えば３板式の透過型プロジェクタにおいて、クロスプリズム１２に固着されて用いられる。尚、上記第１の実施の形態と同様の構成要素については同一の符号を付し、適宜説明を省略する。
【００４６】
＜第２の実施の形態＞
［構成］
図７Ａおよび図７Ｂは、本開示の第２の実施の形態に係る液晶パネルユニットのＸＹ平面構成を表したものであり、図７Ａは見切り板１２２を取り付けていない状態、図７Ｂは見切り板１２２を取り付けた状態をそれぞれ表す。図８Ａは、図７Ａに示した液晶パネルユニットのＸＺ断面構成、図８Ｂは図７Ｂに示した液晶パネルユニットのＸＺ断面構成をそれぞれ表す。
【００４７】
本実施の形態の液晶パネルユニットは、上記第１の実施の形態と同様、透過する色光（赤色光Ｌｒ，緑色光Ｌｇまたは青色光Ｌｂ）を、所定の映像信号に基づいて変調すると共に光学ブロック（クロスプリズム１２）への取り付け用部材（外枠１２０）を含むモジュールである。また、本実施の形態の液晶パネルユニットは、液晶パネル１３０Ｂと、この液晶パネル１３０Ｂに装着された外枠１２０および見切り板１２２とを含んで構成されている。
【００４８】
液晶パネル１３０Ｂは、上記第１の実施の形態の液晶パネル１３０Ａと同様、いわゆるライトバルブとして機能するものであり、入射光（赤色光Ｌｒ，緑色光Ｌｇまたは青色光Ｌｂ）を変調して映像に対応する色光を出射するものである。この液晶パネル１３０Ｂは、また、画素領域１３１を有しており、ＴＦＴ基板１３５と対向基板１３６との間に、液晶層１３７を封止してなるものである。液晶層１３７の周縁部は、シール層１３８によってシールされている。ＴＦＴ基板１３５の周辺領域１３２には、周辺回路（信号線駆動回路１２４ａ，走査線駆動回路１２４ｂ）が形成され、ＦＰＣ（Flexible Printed Circuit）などのフィルム基板１２３が接続されている。
【００４９】
（光学素子１３３Ｂ）
本実施の形態では、上記のような液晶パネルユニットにおいて、液晶パネル１３０Ｂの周辺領域１３２の領域ＳＡに、上記第１の実施の形態の光学素子１３３Ａとは異なる光学素子１３３Ｂがパターン形成されている。光学素子１３３Ｂが形成された領域ＳＡは、見切り板１２２がない状態（図７Ａ，図８Ａ）では、液晶パネルユニットへ入射する光を透過させる一方、見切り板１２２が取り付けられた状態（図７Ｂ，図８Ｂ）では、見切り板１２２によって遮蔽されている。
【００５０】
光学素子１３３Ｂは、例えば所定の方向に偏光軸を有する偏光性層であり、例えばワイヤーグリッドなどにより構成されている。この光学素子１３３Ｂの偏光軸は、例えば画素の配列方向（Ｘ方向およびＹ方向）に対して、０°，４５°あるいは９０°をなし、液晶パネル１３０Ｂにおける液晶の種類や表示モード等に応じて設定されればよい。例えば液晶パネル１３０ＡがＶＡ液晶を用いたノーマリーブラック・モードの場合には、光学素子１３３Ｂの偏光軸は例えば出射側偏光板の偏光軸に直交するか、あるいは４５°をなす方向に設定される。この場合、詳細は後述するが、電圧無印加かつ入射側に偏光板を配置しない状態で液晶パネルユニットを照明すると、周辺領域１３２では、光学素子１３３Ｂのパターン形状に応じたパターン表示が可能となる。
【００５１】
光学素子１３３Ｂのパターン形状（ＸＹ平面形状）および形成位置は、上記第１の実施の形態の光学素子１３３Ａと同様、特に限定されるものではない。また、光学素子１３３Ｂのパターン形状の幅は、上記第１の実施の形態の光学素子１３３Ａと同様の理由から、画素ピッチ以下であることが望ましい。
【００５２】
尚、光学素子１３３Ｂについても、上記光学素子１３３Ａと同様、ＴＦＴ基板１３５に限らず、対向基板１３６に形成されていてもよい。あるいは、ＴＦＴ基板１３５および対向基板１３６の両方に形成されていてもよい。
【００５３】
［製造方法］
本実施の形態においても、上記第１の実施の形態と同様、製造プロセスにおいて、液晶パネルユニットは、クロスプリズム１２に固着された状態で光路上に配置される。本実施の形態の固着工程ついて、図９を参照して説明する。
【００５４】
本実施の形態の固着工程においても、上記第１の実施の形態と同様、クロスプリズム１２の異なる面に、各画素の位置（レジ）を合わせつつ、液晶パネルユニット１０（１０Ｒ，１０Ｇ，１０Ｂ）をそれぞれ接着する。位置合わせの際には、各液晶パネルユニット１０Ｒ，１０Ｇ，１０Ｂへ色光Ｌｒ，Ｌｇ，Ｌｂを照射する。また、液晶パネルユニット１０Ｒ，１０Ｇ，１０Ｂのいずれにも見切り板１２２を取り付けない状態（図７Ａ，図８Ａ）で光照射を行う。更に、クロスプリズム１２には、予め出射側偏光板１１ｂを取り付け、外枠１２０に設けられた固着用孔１２１には、予め硬化性樹脂などを充填しておく。この固着用孔１２１に、固着用ピン１１０を挿入して、液晶パネルユニット１０とクロスプリズム１２とを仮固定する。
【００５５】
但し、本実施の形態では、液晶パネルユニット１０Ｒ，１０Ｇ，１０Ｂの各光入射側に、入射側偏光板１１ａを配置せずに上記光照射を行う。即ち、液晶パネルユニット１０に対して出射側偏光板１１ｂのみが配置された状態で光照射を行う。
【００５６】
これにより、本実施の形態では、各液晶パネルユニット１０において、液晶パネル１３０Ｂの周辺領域１３２に光学素子１３３Ｂがパターン形成されているので、この光学素子１３３Ｂのパターン形状に応じたパターン（位置合わせ用パターン２００Ｂ）が、投射レンズ１３を介して投射画面２００へ映し出される。
【００５７】
例えば、液晶パネル１３０Ｂがノーマリーブラック・モードにより表示され、例えば光学素子１３３Ｂの偏光軸が出射側偏光板１１ｂの偏光軸と直交する場合、無通電状態において光照射を行うと、周辺領域１３２の光学素子１３３Ｂの形成箇所では局所的に黒表示となる（画素領域１３１よりも暗いパターンが表示される）。これにより、液晶パネルユニット１０Ｒ，１０Ｇ，１０Ｂをそれぞれ通過した色光Ｌｒ，Ｌｇ，Ｌｂ毎に、位置合わせ用パターン２００Ｂが表示される。よって、色光Ｌｒ，Ｌｇ，Ｌｂの各位置合わせ用パターン２００Ｂを用いて、液晶パネルユニット１０Ｒ，１０Ｇ，１０Ｂの各画素の位置合わせを行うことができる。
【００５８】
このようにして各液晶パネルユニット１０の適切な位置が設定された後、上記第１の実施の形態と同様に、例えばＵＶ照射により、固着用孔１２１内の樹脂を硬化させる。これにより、クロスプリズム１２に対して各液晶パネルユニット１０を固着することができる。この後、液晶パネルユニット１０Ｒ，１０Ｇ，１０Ｂの各光入射側に見切り板１２２を取り付けることで、固着後には、光学素子１３３Ｂのパターン形状が投射画面に表示されないようにすることができる。
【００５９】
［効果］
本実施の形態の液晶パネルユニットを用いた表示装置においても、上記第１の実施の形態の表示装置１と同様にして、カラーの投射表示がなされる。また、液晶パネル１３０Ｂの周辺領域１３２に光学素子１３３Ｂがパターン形成されていることにより、外枠１２０を介して液晶パネルユニットをクロスプリズム１２などの光学ブロックへ固着する際、液晶パネルユニットを照明することで光学素子１３３Ｂのパターン形状に応じたパターン表示を行うことができる。本実施の形態においても、固着工程において画像表示のための駆動環境を要せず（無通電により）、各液晶パネルユニットへの光照射によって位置合わせを行うことができる。よって、上記第１の実施の形態と同等の効果を得ることができる。
【００６０】
＜第３の実施の形態＞
［構成］
図１０Ａおよび図１０Ｂは、本開示の第３の実施の形態に係る液晶パネルユニットのＸＹ平面構成を表したものであり、図１０Ａは見切り板１２２を取り付けていない状態、図１０Ｂは見切り板１２２を取り付けた状態をそれぞれ表す。図１１Ａは、図１０Ａに示した液晶パネルユニットのＸＺ断面構成、図１１Ｂは図１０Ｂに示した液晶パネルユニットのＸＺ断面構成をそれぞれ表す。
【００６１】
本実施の形態の液晶パネルユニットは、上記第１の実施の形態と同様、透過する色光（赤色光Ｌｒ，緑色光Ｌｇまたは青色光Ｌｂ）を、所定の映像信号に基づいて変調すると共に光学ブロック（クロスプリズム１２）への取り付け用部材（外枠１２０）を含むモジュールである。また、本実施の形態の液晶パネルユニットは、液晶パネル１３０Ｃと、この液晶パネル１３０Ｃに装着された外枠１２０および見切り板１２２とを含んで構成されている。
【００６２】
液晶パネル１３０Ｃは、上記第１の実施の形態の液晶パネル１３０Ａと同様、いわゆるライトバルブとして機能するものであり、入射光（赤色光Ｌｒ，緑色光Ｌｇまたは青色光Ｌｂ）を変調して映像に対応する色光を出射するものである。この液晶パネル１３０Ｃは、また、画素領域１３１を有しており、ＴＦＴ基板１３５と対向基板１３６との間に、液晶層１３７を封止してなるものである。液晶層１３７の周縁部は、シール層１３８によってシールされている。ＴＦＴ基板１３５の周辺領域１３２には、周辺回路（信号線駆動回路１２４ａ，走査線駆動回路１２４ｂ）が形成され、ＦＰＣ（Flexible Printed Circuit）などのフィルム基板１２３が接続されている。
【００６３】
（遮光層１３３Ｃ）
本実施の形態では、上記第１の実施の形態とは異なり、液晶パネル１３０ＣのＴＦＴ基板１３５において、周辺領域１３２の領域ＳＡに、遮光層１３３Ｃがパターン形成されている。この遮光層１３３Ｃが形成された領域ＳＡは、見切り板１２２がない状態（図１０Ａ，図１１Ａ）では、液晶パネルユニットへ入射する光を透過させる一方、見切り板１２２が取り付けられた状態（図１０Ｂ，図１１Ｂ）では、見切り板１２２によって遮蔽されている。
【００６４】
遮光層１３３Ｃは、例えば赤色光Ｌｒ，緑色光Ｌｇ，青色光Ｌｂなどの可視光を遮蔽する金属層である。詳細は後述するが、電圧無印加の状態で液晶パネルユニットを照明すると、周辺領域１３２では、遮光層１３３Ｃの形成箇所において局所的に遮光され、遮光層１３３Ｃのパターン形状に応じたパターン表示が可能となる。
【００６５】
遮光層１３３Ｃのパターン形状（ＸＹ平面形状）および形成位置は、上記第１の実施の形態の光学素子１３３Ａと同様、特に限定されるものではない。ここでは、遮光層１３３Ｃが、領域ＳＡの一部に形成され、上記第１の実施の形態の光学素子１３３Ａと同様の「く」の字型形状をなしている。また、遮光層１３３Ｃのパターン形状の幅は、上記第１の実施の形態の光学素子１３３Ａと同様の理由から、画素ピッチ以下であることが望ましい。
【００６６】
尚、遮光層１３３Ｃについても、上記光学素子１３３Ａと同様、ＴＦＴ基板１３５に限らず、対向基板１３６に形成されていてもよい。あるいは、ＴＦＴ基板１３５および対向基板１３６の両方に形成されていてもよい。
【００６７】
［製造方法］
本実施の形態においても、上記第１の実施の形態と同様、製造プロセスにおいて、液晶パネルユニットは、クロスプリズム１２に固着された状態で、光路上に配置される。本実施の形態の固着工程ついて図１２を参照して説明する。
【００６８】
本実施の形態の固着工程においても、上記第１の実施の形態と同様、クロスプリズム１２の異なる面に、各画素の位置（レジ）を合わせつつ、液晶パネルユニット１０（１０Ｒ，１０Ｇ，１０Ｂ）をそれぞれ接着する。位置合わせの際には、各液晶パネルユニット１０Ｒ，１０Ｇ，１０Ｂへ色光Ｌｒ，Ｌｇ，Ｌｂを照射する。また、液晶パネルユニット１０Ｒ，１０Ｇ，１０Ｂのいずれにも見切り板１２２を取り付けない状態（図１０Ａ，図１１Ａ）で光照射を行う。更に、クロスプリズム１２には、予め出射側偏光板１１ｂを取り付け、外枠１２０に設けられた固着用孔１２１には、予め硬化性樹脂などを充填しておく。この固着用孔１２１に、固着用ピン１１０を挿入して、液晶パネルユニット１０とクロスプリズム１２とを仮固定する。
【００６９】
また、本実施の形態では、上記第２の実施の形態と同様、液晶パネルユニット１０Ｒ，１０Ｇ，１０Ｂの各光入射側に、入射側偏光板１１ａを配置せずに上記光照射を行う。即ち、液晶パネルユニット１０に対して出射側偏光板１１ｂのみが配置された状態で光照射を行う。
【００７０】
これにより、本実施の形態では、各液晶パネルユニット１０において、液晶パネル１３０Ｃの周辺領域１３２に遮光層１３３Ｃがパターン形成されているので、この遮光層１３３Ｃのパターン形状に応じたパターン（位置合わせ用パターン２００Ｃ）が、投射レンズ１３を介して投射画面２００へ映し出される。
【００７１】
例えば、各液晶パネルユニットに対し、無通電状態において光照射を行うと、周辺領域１３２の遮光層１３３Ｃの形成箇所において局所的に遮光される。これにより、液晶パネルユニット１０Ｒ，１０Ｇ，１０Ｂをそれぞれ通過した色光Ｌｒ，Ｌｇ，Ｌｂ毎に、位置合わせ用パターン２００Ｃが表示される（画素領域１３１よりも暗いパターンが表示される）。よって、色光Ｌｒ，Ｌｇ，Ｌｂの各位置合わせ用パターン２００Ｃを用いて、液晶パネルユニット１０Ｒ，１０Ｇ，１０Ｂの各画素の位置合わせを行うことができる。
【００７２】
このようにして各液晶パネルユニット１０の適切な位置が設定された後、上記第１の実施の形態と同様に、固着用孔１２１内の樹脂を硬化させることにより、クロスプリズム１２に対して各液晶パネルユニット１０を固着することができる。この後、液晶パネルユニット１０Ｒ，１０Ｇ，１０Ｂの各光入射側に見切り板１２２を取り付けることで、固着後には、遮光層１３３Ｃのパターン形状が投射画面に表示されないようにすることができる。
【００７３】
［効果］
本実施の形態の液晶パネルユニットを用いた表示装置においても、上記第１の実施の形態の表示装置１と同様にして、カラーの投射表示がなされる。また、液晶パネル１３０Ｃの周辺領域１３２に遮光層１３３Ｃがパターン形成されていることにより、外枠１２０を介して液晶パネルユニットをクロスプリズム１２などの光学ブロックへ固着する際、液晶パネルユニットを照明することで遮光層１３３Ｃのパターン形状に応じたパターン表示を行うことができる。本実施の形態においても、固着工程において画像表示のための駆動環境を要せず（無通電により）、各液晶パネルユニットへの光照射によって位置合わせを行うことができ、上記第１の実施の形態と同等の効果を得ることができる。
【００７４】
＜第４の実施の形態＞
［構成］
図１３Ａおよび図１３Ｂは、本開示の第４の実施の形態に係る液晶パネルユニットのＸＹ平面構成を表したものであり、図１３Ａは見切り板１２２を取り付けていない状態、図１３Ｂは見切り板１２２を取り付けた状態をそれぞれ表す。図１４Ａは、図１３Ａに示した液晶パネルユニットのＸＺ断面構成、図１４Ｂは図１３Ｂに示した液晶パネルユニットのＸＺ断面構成をそれぞれ表す。
【００７５】
本実施の形態の液晶パネルユニットは、上記第１の実施の形態と同様、透過する色光（赤色光Ｌｒ，緑色光Ｌｇまたは青色光Ｌｂ）を、所定の映像信号に基づいて変調すると共に光学ブロック（クロスプリズム１２）への取り付け用部材（外枠１２０）を含むモジュールである。また、本実施の形態の液晶パネルユニットは、液晶パネル１３０Ｄと、この液晶パネル１３０Ｄに装着された外枠１２０および見切り板１２２とを含んで構成されている。
【００７６】
液晶パネル１３０Ｄは、上記第１の実施の形態の液晶パネル１３０Ａと同様、いわゆるライトバルブとして機能するものであり、入射光（赤色光Ｌｒ，緑色光Ｌｇまたは青色光Ｌｂ）を変調して映像に対応する色光を出射するものである。この液晶パネル１３０Ｄは、また、画素領域１３１を有しており、ＴＦＴ基板１３５と対向基板１３６との間に、液晶層１３７を封止してなるものである。液晶層１３７の周縁部は、シール層１３８によってシールされている。ＴＦＴ基板１３５の周辺領域１３２には、周辺回路（信号線駆動回路１２４ａ，走査線駆動回路１２４ｂ）が形成され、ＦＰＣ（Flexible Printed Circuit）などのフィルム基板１２３が接続されている。
【００７７】
（遮光層１３９，光透過領域１３３Ｄ）
本実施の形態では、上記第１の実施の形態とは異なり、液晶パネル１３０Ｄの周辺領域１３２の領域ＳＡに、遮光層１３９がパターン形成されている。この遮光層１３９が形成された領域ＳＡは、見切り板１２２がない状態（図１３Ａ，図１４Ａ）では、液晶パネルユニットへ入射する光を透過させる一方、見切り板１２２が取り付けられた状態（図１３Ｂ，図１４Ｂ）では、見切り板１２２によって遮蔽されている。
【００７８】
遮光層１３９は、上記第３の実施の形態の遮光層１３３Ｃと同様、例えば可視光を遮蔽する金属層である。詳細は後述するが、電圧無印加の状態で液晶パネルユニットを照明すると、周辺領域１３２では、遮光層１３９のパターン形状（形成パターン）に応じたパターン表示が可能となる。
【００７９】
遮光層１３９のパターン形状（ＸＹ平面形状）および形成位置は、上記第１の実施の形態の光学素子１３３Ａと同様、特に限定されるものではない。ここでは、領域ＳＡにおいて、遮光層１３９が、光透過領域（開口）１３３Ｄを有している（遮光層１３９が一部において開口されたパターンを有している）。この光透過領域１３３Ｄが、上記第１の実施の形態の光学素子１３３Ａと同様の「く」の字型形状をなすように、領域ＳＡに配置されている。また、光透過領域１３３Ｄのパターン形状の幅は、上記第１の実施の形態の光学素子１３３Ａと同様の理由から、画素ピッチ以下であることが望ましい。
【００８０】
尚、この遮光層１３９についても、上記光学素子１３３Ａと同様、ＴＦＴ基板１３５に限らず、対向基板１３６に形成されていてもよい。あるいは、ＴＦＴ基板１３５および対向基板１３６の両方に形成されていてもよい。
【００８１】
［製造方法］
本実施の形態においても、上記第１の実施の形態と同様、製造プロセスにおいて、液晶パネルユニットは、クロスプリズム１２に固着された状態で、光路上に配置される。本実施の形態の固着工程ついて図１５を参照して説明する。
【００８２】
本実施の形態の固着工程においても、上記第１の実施の形態と同様、クロスプリズム１２の異なる面に、各画素の位置（レジ）を合わせつつ、液晶パネルユニット１０（１０Ｒ，１０Ｇ，１０Ｂ）をそれぞれ接着する。位置合わせの際には、各液晶パネルユニット１０Ｒ，１０Ｇ，１０Ｂへ色光Ｌｒ，Ｌｇ，Ｌｂを照射する。また、液晶パネルユニット１０Ｒ，１０Ｇ，１０Ｂのいずれにも見切り板１２２を取り付けない状態（図１３Ａ，図１４Ａ）で光照射を行う。更に、クロスプリズム１２には、予め出射側偏光板１１ｂを取り付け、外枠１２０に設けられた固着用孔１２１には、予め硬化性樹脂などを充填しておく。この固着用孔１２１に、固着用ピン１１０を挿入して、液晶パネルユニット１０とクロスプリズム１２とを仮固定する。
【００８３】
また、本実施の形態では、上記第２の実施の形態と同様、液晶パネルユニット１０Ｒ，１０Ｇ，１０Ｂの各光入射側に、入射側偏光板１１ａを配置せずに上記光照射を行う。即ち、液晶パネルユニット１０に対して出射側偏光板１１ｂのみが配置された状態で光照射を行う。
【００８４】
これにより、本実施の形態では、各液晶パネルユニット１０において、液晶パネル１３０Ｄの周辺領域１３２に遮光層１３９がパターン形成されているので、この遮光層１３９のパターン形状に応じたパターン（位置合わせ用パターン２００Ｄ）が、投射レンズ１３を介して投射画面２００へ映し出される。
【００８５】
例えば、各液晶パネルユニットに対し、無通電状態において光照射を行うと、周辺領域１３２では、領域ＳＡでは遮光層１３９によって遮光されるが、光透過領域１３３Ｄの形成箇所では局所的に光が透過する。これにより、液晶パネルユニット１０Ｒ，１０Ｇ，１０Ｂをそれぞれ通過した色光Ｌｒ，Ｌｇ，Ｌｂ毎に、位置合わせ用パターン２００Ｄが表示される（画素領域１３１よりも明るいパターンが表示される）。よって、色光Ｌｒ，Ｌｇ，Ｌｂの各位置合わせ用パターン２００Ｄを用いて、液晶パネルユニット１０Ｒ，１０Ｇ，１０Ｂの各画素の位置合わせを行うことができる。
【００８６】
このようにして各液晶パネルユニット１０の適切な位置が設定された後、上記第１の実施の形態と同様に、固着用孔１２１内の樹脂を硬化させることにより、クロスプリズム１２に対して各液晶パネルユニット１０を固着することができる。この後、液晶パネルユニット１０Ｒ，１０Ｇ，１０Ｂの各光入射側に見切り板１２２を取り付けることで、固着後には、遮光層１３９のパターン形状が投射画面に表示されないようにすることができる。
【００８７】
［効果］
本実施の形態の液晶パネルユニットを用いた表示装置においても、上記第１の実施の形態の表示装置１と同様にして、カラーの投射表示がなされる。また、液晶パネル１３０ＣＤの周辺領域１３２に遮光層１３９がパターン形成されていることにより、外枠１２０を介して液晶パネルユニットをクロスプリズム１２などの光学ブロックへ固着する際、液晶パネルユニットを照明することで遮光層１３９のパターン形状に応じたパターン表示を行うことができる。本実施の形態においても、固着工程において画像表示のための駆動環境を要せず（無通電により）、各液晶パネルユニットへの光照射によって位置合わせを行うことができ、上記第１の実施の形態と同等の効果を得ることができる。
【００８８】
（３板式／投射型プロジェクタ構成例）
上記第１〜第４の実施の形態において説明した液晶パネルユニットを含む表示装置１の光源部を含む全体構成の一例を、図１６に示す。このように、３板式の投射型プロジェクタは、例えば白色光を発する光源２１１と、レンズアレイインテグレータ２１２と、全反射ミラー２１４と、レンズアレイインテグレータ２１３とを備えている。レンズアレイインテグレータ２１２，２１３では、複数のマイクロレンズ２１２Ｍ，２１３Ｍが２次元的に配列している。レンズアレイインテグレータ２１３の光出射側には、例えば、ＰＳ合成素子２１５と、コンデンサレンズ２１６と、例えば赤色光を選択的に反射し他の波長を透過するダイクロイックミラー２１７とを備えている。
【００８９】
ダイクロイックミラー２１７によって分離された赤色光Ｌｒの光路には、全反射ミラー２１８と、フィールドレンズ２２４Ｒと、液晶パネルユニット１０Ｒとを備えている。尚、簡便化のため図１６には図示はしないが、上述のように、液晶パネルユニット１０Ｒ（１０Ｇ，１０Ｂも同様）の光入射側および光出射側には、入射側偏光板１１ａおよび出射側偏光板１１ｂが配置されている。一方、ダイクロイックミラー２１７を透過した色光の光路には、例えば緑色光を選択的に反射し他の波長を透過するダイクロイックミラー２１９を備えている。ダイクロイックミラー２１９によって分離された緑色光Ｌｇの光路には、フィールドレンズ２２４Ｇと、液晶パネルユニット１０Ｇとを備えている。他方、ダイクロイックミラー２１９を透過した色光（青色光Ｌｂ）の光路には、リレーレンズ２２０と、全反射ミラー２２１と、リレーレンズ２２２と、全反射ミラー２２３と、フィールドレンズ２２４Ｂと、液晶パネルユニット１０Ｂとを備えている。
【００９０】
これらの赤色光Ｌｒ、緑色光Ｌｇおよび青色光Ｌｂの光路が交わる位置に、上述したクロスプリズム１２を備え、このクロスプリズム１２から出射された合成光が、投射レンズ１３によってスクリーン２２８に向けて投射されるようになっている。
【００９１】
以上、いくつかの実施の形態を挙げて説明したが、本開示はこれらの実施の形態に限定されず、種々の変形が可能である。例えば、上記実施の形態では、本開示の液晶パネルとして、透過型の液晶パネルを例示したが、これに限らず、例えばＬＣＯＳ（Liquid Crystal On Silicon）等の反射型の液晶パネルが用いられてもよい。
【００９２】
更に、本開示の投射型表示装置は、上記実施の形態において説明した構成のものに限定されず、光源からの光を液晶パネルを用いて変調し、投射レンズを用いて映像表示するタイプの様々な表示装置に適用可能である。
【００９３】
尚、本開示内容は以下のような構成であってもよい。
（１）
複数の画素からなる画素領域を有する液晶パネルと、
前記液晶パネルに装着された枠体とを備え、
前記液晶パネルは、
画素回路を含む第１の基板と、
前記第１の基板に対向配置された第２の基板と、
前記第１および第２の基板間に封止された液晶層と、
前記第１および第２の基板の少なくとも一方の基板において、前記画素領域の周辺領域にパターン形成された光学素子とを有する
表示装置。
（２）
前記光学素子は位相差層である
上記（１）に記載の表示装置。
（３）
前記位相差層は、複数の誘電体膜を積層したものである
上記（２）に記載の表示装置。
（４）
前記光学素子は偏光性層である
上記（１）に記載の表示装置。
（５）
前記偏光性層は、ワイヤーグリッドにより構成されている
上記（４）に記載の表示装置。
（６）
前記偏光性層の偏光軸は、前記画素の配列方向に対して０°，４５°または９０°をなす
上記（４）または（５）に記載の表示装置。
（７）
前記光学素子のパターン形状は、前記画素ピッチ以下の幅を有する
上記（１）〜（６）のいずれかに記載の表示装置。
（８）
前記枠体は、前記液晶パネルの前記周辺領域を遮光する遮光部材を取り付けるための機構を有する
上記（１）〜（７）に記載の表示装置。
（９）
前記光学素子は、前記第１の基板に形成されている
上記（１）〜（８）に記載の表示装置。
（１０）
前記光学素子は、前記第２の基板に形成されている
上記（１）〜（９）に記載の表示装置。
（１１）
前記液晶パネルは透過型である
上記（１）〜（１０）に記載の表示装置。
（１２）
投射型表示装置であり、
前記液晶パネルは、色光毎に互いに異なる光路上に複数設けられ、
複数の前記液晶パネルはそれぞれ、前記枠体を介して色合成光学部材に固着されている
上記（１）〜（１１）に記載の表示装置。
（１３）
複数の画素からなる画素領域を有する液晶パネルと、
前記液晶パネルに装着された枠体とを備え、
前記液晶パネルは、
画素回路を含む第１の基板と、
前記第１の基板に対向配置された第２の基板と、
前記第１および第２の基板間に封止された液晶層と、
前記第１および第２の基板の少なくとも一方の基板において、前記画素領域の周辺領域にパターン形成された遮光層とを有する
表示装置。
（１４）
前記遮光層は、前記周辺領域の一部に形成された金属層である
上記（１３）に記載の表示装置。
（１５）
前記遮光層は、前記周辺領域の一部に光透過領域となる開口を有する金属層である
上記（１３）に記載の表示装置。
（１６）
前記遮光層による遮光領域または光透過領域のパターン形状は、前記画素ピッチ以下の幅を有する
上記（１３）〜（１５）のいずれかに記載の表示装置。
（１７）
前記枠体は、前記液晶パネルの前記周辺領域を遮光する遮光部材を取り付けるための機構を有する
上記（１３）〜（１６）のいずれかに記載の表示装置。
（１８）
前記遮光層は、前記第１の基板に形成されている
上記（１３）〜（１７）に記載の表示装置。
（１９）
前記遮光層は、前記第２の基板に形成されている
上記（１３）〜（１８）に記載の表示装置。
【符号の説明】
【００９４】
１…表示装置、１０（１０Ｒ，１０Ｇ，１０Ｂ）…液晶パネルユニット、１１ａ…入射側偏光板、１１ｂ…出射側偏光板、１２…クロスプリズム、１３…投射レンズ、１１０…固着用ピン、１２０…外枠、１２１…固着用孔、１２２…見切り板、１２３…フィルム基板、１２３ａ…突起、１２３ｂ…長孔、１２４ａ…信号線駆動回路、１２４ｂ…走査線駆動回路、１２５…樹脂層、１３０Ａ〜１３０Ｄ…液晶パネル、１３１…画素領域、１３２…周辺領域、１３３Ａ…光学素子（位相差層）、１３３Ｂ…光学素子（偏光性層）、１３３Ｃ，１３９…遮光層、１３３Ｄ…光透過領域、１３５…ＴＦＴ基板、１３６…対向基板、１３７…液晶層、１３８…シール層、２００Ａ〜２００Ｄ…位置合わせ用パターン、Ｐ…画素、Ｐｘ…ダミー画素、ＳＡ…光透過領域（パターン形成領域）、ＳＢ…遮光領域。
【図１】
2015011296.tif 000003
【図２】
2015011296.tif 000004
【図３】
2015011296.tif 000005
【図４Ａ】
2015011296.tif 000006
【図４Ｂ】
2015011296.tif 000007
【図５Ａ】
2015011296.tif 000008
【図５Ｂ】
2015011296.tif 000009
【図６Ａ】
2015011296.tif 000010
【図６Ｂ】
2015011296.tif 000011
【図６Ｃ】
2015011296.tif 000012
【図７Ａ】
2015011296.tif 000013
【図７Ｂ】
2015011296.tif 000014
【図８Ａ】
2015011296.tif 000015
【図８Ｂ】
2015011296.tif 000016
【図９】
2015011296.tif 000017
【図１０Ａ】
2015011296.tif 000018
【図１０Ｂ】
2015011296.tif 000019
【図１１Ａ】
2015011296.tif 000020
【図１１Ｂ】
2015011296.tif 000021
【図１２】
2015011296.tif 000022
【図１３Ａ】
2015011296.tif 000023
【図１３Ｂ】
2015011296.tif 000024
【図１４Ａ】
2015011296.tif 000025
【図１４Ｂ】
2015011296.tif 000026
【図１５】
2015011296.tif 000027
【図１６】
2015011296.tif 000028